【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
記録媒体上に画像を形成する画像形成手段と、前記記録媒体を搬送する搬送路に設置され、前記画像形成手段により記録媒体上に形成された画像の色を測色する測色手段と、を有する画像出力装置に対して画像処理を施した画像データを供給する画像処理装置であって、
画像データを入力する入力手段と、
目標色で出力すべき色を指定する指定手段と、
前記入力手段で入力した画像データから、前記指定手段で指定された目標色で出力すべき箇所の座標、及び当該箇所を有するページを特定するページ情報を抽出する解析手段と、
前記解析手段で抽出されたページ情報に基づいて、前記入力手段で入力した着目ページの画像データを前記画像形成手段で形成する際に、前記着目ページに前記目標色で出力すべき箇所を有するか否かを判定する第１の判定手段と、
前記第１の判定手段により、前記着目ページ内に前記目標色で出力すべき箇所を有すると判定された場合、前記解析手段で抽出されたページ情報に基づいて、当該ページより前のページに前記目標色で出力すべき箇所を有するか否かを判定する第２の判定手段と、
前記第２の判定手段により、前記着目ページより前のページに前記目標色で出力すべき箇所を有すると判定された場合、当該ページの前記箇所を前記測色手段で測色し、測色した結果の色を前記目標色に近づけるための補正データを生成する補正データ生成手段と、
前記着目ページ内の前記目標色で出力すべき箇所の色データを、前記補正データに基づいて補正する補正手段と、
を備えることを特徴とする画像処理装置。
【請求項２】
前記補正データ生成手段は、前記解析手段で抽出されたページ情報に基づいて、前記着目ページより前のページに前記目標色で出力すべき箇所がないと判断した場合に、
前記画像出力装置の出力特性を検査するためのページを前記着目ページより前に挿入し、該挿入されたページを測色することを特徴とする請求項１に記載の画像処理装置。
【請求項３】
前記第１の判定手段で、前記目標色で出力すべき箇所を有すると判定された第１のページと、前記第２の判定手段で、前記第１のページよりも１つ前に前記目標色で出力すべき箇所を有すると判定された第２のページとの間のページ間隔が予め定めた閾値よりも大きいか否かを判定する第３の判定手段と、
前記第３の判定手段で、前記ページ間隔が前記閾値よりも大きいと判定された場合、前記第１のページと前記第２のページとの間に前記画像出力装置の出力特性を検査するためのページを挿入する挿入手段と、
を更に備えたことを特徴とする請求項１に記載の画像処理装置。
【請求項４】
画像データのうち目標色で出力すべき色で描かれるパッチを出力する出力手段と、
前記出力手段により出力されたパッチの色を測定する測色手段と、
前記測色した結果の色を前記目標色に近づけるための補正データを生成する補正データ生成手段と、
前記画像データのうち前記目標色で出力すべき箇所の色データを、前記補正データに基づいて補正する補正手段とを備え、
前記出力手段はさらに、前記補正手段で補正された画像データを出力する
ことを特徴とする画像出力装置。
【請求項５】
前記出力手段により出力されるパッチには複数の色のパッチが描かれることを特徴とする請求項４に記載の画像出力装置。
【請求項６】
前記目標色で出力すべき色は、ＰＡＮＴＯＮＥカラー若しくはＤＩＣカラーにより規定される色であることを特徴とする請求項４に記載の画像出力装置。
【請求項７】
前記画像データは、ＰＤＬデータであることを特徴とする請求項４に記載の画像出力装置。
【請求項８】
前記目標色で出力すべき色は、前記画像データの送信元である情報処理装置の画面に表示されることを特徴とする請求項４に記載の画像出力装置。
【請求項９】
前記目標色で出力すべき色は、三原色で表現されていることを特徴とする請求項４に記載の画像出力装置。
【請求項１０】
記録媒体上に画像を形成する画像形成手段と、
前記記録媒体を搬送する搬送路に設置され、前記画像形成手段により記録媒体上に形成された画像の色を測色する測色手段とを有する画像出力装置に対して画像処理を施した画像データを供給する画像処理装置の制御方法であって、
画像データを入力する入力工程と、
目標色で出力すべき色を指定する指定工程と、
前記入力工程で入力した画像データから、前記指定工程で指定された目標色で出力すべき箇所の座標、及び当該箇所を有するページを特定するページ情報を抽出する解析工程と、
前記解析工程で抽出されたページ情報に基づいて、前記入力工程で入力した着目ページの画像データを前記画像形成工程で形成する際に、前記着目ページに前記目標色で出力すべき箇所を有するか否かを判定する第１の判定工程と、
前記第１の判定工程により、前記着目ページ内に前記目標色で出力すべき箇所を有すると判定された場合、前記解析工程で抽出されたページ情報に基づいて、当該ページより前のページに前記目標色で出力すべき箇所を有するか否かを判定する第２の判定工程と、
前記第２の判定工程により、前記着目ページより前のページに前記目標色で出力すべき箇所を有すると判定された場合、当該ページの前記箇所を前記測色工程で測色し、測色した結果の色を前記目標色に近づけるための補正データを生成する補正データ生成工程と、
前記着目ページ内の前記目標色で出力すべき箇所の色データを、前記補正データに基づいて補正する補正工程と、
を有することを特徴とする制御方法。
【請求項１１】
画像データのうち目標色で出力すべき色で描かれるパッチを出力部から出力する第１の出力工程と、
前記第１の出力工程で出力されたパッチの色を測定する測色工程と、
前記測色した結果の色を前記目標色に近づけるための補正データを生成する補正データ生成工程と、
前記画像データのうち前記目標色で出力すべき箇所の色データを、前記補正データに基づいて補正する補正工程と、
前記補正工程で補正された画像データを前記出力部から出力する第２の出力工程と
を有することを特徴とする画像出力方法。
【請求項１２】
前記第１の出力工程により出力されるパッチには複数の色のパッチが描かれることを特徴とする請求項１１に記載の画像出力方法。
【請求項１３】
前記目標色で出力すべき色は、ＰＡＮＴＯＮＥカラー若しくはＤＩＣカラーにより規定される色であることを特徴とする請求項１１に記載の画像出力方法。
【請求項１４】
前記画像データは、ＰＤＬデータであることを特徴とする請求項１１に記載の画像出力方法。
【請求項１５】
前記目標色で出力すべき色は、前記画像データの送信元である情報処理装置の画面に表示されることを特徴とする請求項１１に記載の画像出力方法。
【請求項１６】
前記目標色で出力すべき色は、三原色で表現されていることを特徴とする請求項１１に記載の画像出力方法。
【手続補正２】
【補正対象書類名】明細書
【補正対象項目名】発明の名称
【補正方法】変更
【補正の内容】
【発明の名称】画像処理装置及びその制御方法、画像出力装置、並びに画像出力方法
【手続補正３】
【補正対象書類名】明細書
【補正対象項目名】００１０
【補正方法】変更
【補正の内容】
【００１０】
上記課題を解決するため、本発明に係る画像処理装置は、記録媒体上に画像を形成する画像形成手段と、前記記録媒体を搬送する搬送路に設置され、前記画像形成手段により記録媒体上に形成された画像の色を測色する測色手段と、を有する画像出力装置に対して画像処理を施した画像データを供給する画像処理装置であって、画像データを入力する入力手段と、目標色で出力すべき色を指定する指定手段と、前記入力手段で入力した画像データから、前記指定手段で指定された目標色で出力すべき箇所の座標、及び当該箇所を有するページを特定するページ情報を抽出する解析手段と、前記解析手段で抽出されたページ情報に基づいて、前記入力手段で入力した着目ページの画像データを前記画像形成手段で形成する際に、前記着目ページに前記目標色で出力すべき箇所を有するか否かを判定する第１の判定手段と、前記第１の判定手段により、前記着目ページ内に前記目標色で出力すべき箇所を有すると判定された場合、前記解析手段で抽出されたページ情報に基づいて、当該ページより前のページに前記目標色で出力すべき箇所を有するか否かを判定する第２の判定手段と、前記第２の判定手段により、前記着目ページより前のページに前記目標色で出力すべき箇所を有すると判定された場合、当該ページの前記箇所を前記測色手段で測色し、測色した結果の色を前記目標色に近づけるための補正データを生成する補正データ生成手段と、前記着目ページ内の前記目標色で出力すべき箇所の色データを、前記補正データに基づいて補正する補正手段と、を備えることを特徴とする。